(57)【要約】      （修正有）【課題】ラッチ機構により発生する振動や衝撃を抑制することが可能なアクチュエータ固定機構を提供する。【解決手段】アクチュエータ固定機構は、ディスク状の記録媒体にデータを記録再生するヘッドを記録媒体に対して回転移動させるアクチュエータを、非動作時に退避位置で固定する。アクチュエータ固定機構は、アクチュエータの被係合部と係合部を係合させてアクチュエータを退避位置に固定する第１の位置と、アクチュエータの退避位置から記録媒体上への移動を可能にする第２の位置とを、シャフト部を回転中心として回動自在に設けられるアーム部１４２ａ、１４２ｂと、アクチュエータの作動状態に応じて、アーム部の回動を規制する規制部材と、少なくともアクチュエータ固定機構が設けられるベースと対向する側のシャフト部１４３の側面に、ベースと接触可能に設けられた、弾性を有するダンピング部材１４６と、を備える。【選択図】図６
2012104192.tif 000002
【特許請求の範囲】
【請求項１】
ディスク状の記録媒体にデータを記録再生するヘッドを前記記録媒体に対して回転移動させるアクチュエータを、非動作時に退避位置で固定するアクチュエータ固定機構であって、
前記アクチュエータの被係合部と係合部を係合させて前記アクチュエータを前記退避位置に固定する第１の位置と、前記アクチュエータの前記退避位置から前記記録媒体上への移動を可能にする第２の位置との間を、シャフト部を回転中心として回動自在に設けられるアーム部と、
前記アクチュエータの作動状態に応じて、前記アーム部の回動を規制する規制部材と、
前記シャフト部の、少なくとも前記アクチュエータ固定機構が設けられるベースと対向する側に、前記ベースと接触可能に設けられた、弾性を有するダンピング部材と、
を備えることを特徴とする、アクチュエータ固定機構。
【請求項２】
前記シャフト部は、少なくとも前記ベースと対向する一端面に、１または複数の突起部を備え、
前記ダンピング部材は、前記シャフト部の一端面に設けられた前記突起部よりも前記ベース側に突出して設けられることを特徴とする、請求項１に記載のアクチュエータ固定機構。
【請求項３】
前記ダンピング部材は、前記シャフト部の回転中心軸方向に対して傾斜を有して設けられることを特徴とする、請求項１または２に記載のアクチュエータ固定機構。
【請求項４】
前記ダンピング部材は、前記シャフト部の前記ベースと対向する一端面から前記ベースに向かって突出する板状の薄肉部材であることを特徴とする、請求項１または２に記載のアクチュエータ固定機構。
【請求項５】
前記規制部材は、前記シャフト部に対して前記アーム部の一側に設けられる金属部材と、前記アーム部が前記第１の位置に位置するときに前記金属部材と対向する位置に設けられるマグネットとからなり、
前記ダンピング部材は、前記アーム部の一側に設けられた前記金属部材と、前記アーム部の回転中心となる前記シャフト部に対して対角の位置に設けられることを特徴とする、請求項１〜４のいずれか１項に記載のアクチュエータ固定機構。
【請求項６】
前記規制部材は、前記第１の位置で前記アクチュエータの被係合部と係合する前記アーム部を固定し、前記ヘッドによる前記記録媒体のデータの記録再生時に前記アーム部の固定を解除することを特徴とする、請求項５に記載のアクチュエータ固定機構。
【請求項７】
前記シャフト部は、前記ダンピング部材の外周部を覆うガード部材をさらに備えることを特徴とする、請求項１〜６のいずれか１項に記載のアクチュエータ固定機構。
【請求項８】
前記アーム部は、前記ダンピング部材および前記ガード部に対応する領域が開口する開口部を備えることを特徴とする、請求項７に記載のアクチュエータ固定機構。
【請求項９】
前記ダンピング部材は、前記シャフト部の前記ベースと対向する一端面に、前記シャフト部の周方向に所定の間隔で複数配置されることを特徴とする、請求項１に記載のアクチュエータ固定機構。
【請求項１０】
前記ダンピング部材は、
前記ベースと接触する接触部と、
前記シャフト部の前記ベースと対向する一端面と前記接触部とを接続し、前記アーム部の回転軸方向に開口するスリットが形成された脚部と、
からなることを特徴とする、請求項１に記載のアクチュエータ固定機構。
【請求項１１】
データを記憶するディスク状の記録媒体と、
前記記録媒体を回転させる回転駆動部と、
前記回転駆動部を支持するベースと、
前記記録媒体にデータを記録再生するヘッドを前記記録媒体に対して回転移動させるアクチュエータと、
前記アクチュエータを固定するアクチュエータ固定機構と、
を備え、
前記アクチュエータ固定機構は、
前記アクチュエータの被係合部と係合部を係合させて前記アクチュエータを前記退避位置に固定する第１の位置と、前記アクチュエータの前記退避位置から前記記録媒体上への移動を可能にする第２の位置との間を、シャフト部を回転中心として回動自在に設けられるアーム部と、
前記アクチュエータの作動状態に応じて、前記アーム部の回動を規制する規制部材と、
前記シャフト部の、少なくとも前記アクチュエータ固定機構が設けられるベースと対向する側に、前記ベースと接触可能に設けられた、弾性を有するダンピング部材と、
を備えることを特徴とする、ディスク装置。
【発明の詳細な説明】
【技術分野】
【０００１】
本発明は、アクチュエータの動きを規制するアクチュエータ固定機構およびこれを備えるディスク装置に関する。
【背景技術】
【０００２】
例えばハードディスクドライブ（Ｈａｒｄ  Ｄｉｓｋ  Ｄｒｉｖｅ；以下、「ＨＤＤ」とする。）等のディスク装置は、情報を記録する記録媒体であるディスクをスピンドルモータにより回転させた状態で、ヘッドにより情報の記録再生を行う。ＨＤＤは、例えばノートパソコンやＭＰ３プレーヤー、自動車等に搭載されており、その用途は多様にある。
【０００３】
ディスク装置は、一端にヘッドが設けられたサスペンションをスピンドルモータにより回転させて、ヘッドをディスクの上方の所定領域とそれ以外の領域とに移動させる。ディスク装置は、ディスクに情報を記録したりディスクに記憶されている情報を読み出したりするときには、ヘッドをディスクの上方に移動させる。ヘッドは、高速に回転するディスク表面上の気流によって浮上し、ディスク表面との間に僅かな隙間を保ちながらディスクに記録された情報を取得する。
【０００４】
一方、ヘッドがディスク上にあるとき、ヘッドとディスク表面とは高度に平滑性が維持されているため、一端接触すると強固に吸着し、ディスクが回転できなくなってしまう。ディスク装置を停止させるとき、ディスク装置は、ヘッドをディスクの外にあるランプへ移動させる。このとき、ランプに退避されたヘッドがディスク上に移動しないように、ディスク装置には、ヘッドがランプに退避された状態でアクチュエータを保持するアクチュエータ固定機構として、ラッチ機構が設けられている。
【０００５】
ラッチ機構は、一般的に、マグネットの吸引力を利用したマグネットラッチ機構や、ラッチ機構のアームの慣性力を利用した機械的なリンク機構で構成されるイナーシャラッチ機構等がある。例えば、図８に示すように、従来のラッチ機構３０は、アクチュエータ４０の動きを規制するラッチ３１と、当該ラッチ３１の動きを規制する例えばマグネット（図示せず。）とからなる。
【０００６】
ラッチ３１は、ベース１０とヨーク２０との間に、アクチュエータ４０のＶＣＭコイル４５と隣接して設けられる。ラッチ３１は、回転軸周りに回転可能に設けられ、その回転は、ラッチ３１に設けられた例えば金属ピン３７によって規制される。すなわち、ラッチ３１に配置された金属ピン３７がマグネットに磁気的に吸引されることで、ヘッドをディスク上に移動させる方向に回動しようとするアクチュエータ４０をラッチ３１で固定しにいくことができる。
【０００７】
従来のラッチ３１は、図１４および図１５に示すように、ベース１０から垂直方向に延びるベースピン（図１７の符号１２参照。）に挿入されラッチ３１の回転中心部となるシャフト部３３に対して、アクチュエータ４０の被係合部と係合する係合部３２ｃが設けられる前アーム部３２ａと、後アーム部３２ｂとからなる。シャフト部３３には、ベース１０のベースピンが挿入される貫通孔３４が形成されている。また、シャフト部３３の上面および下面には、突起部３５ａ〜３５ｄ、３６ａ〜３６ｄがそれぞれ等間隔に配置されている。従来のラッチ３１の構成を図１６に簡略化して示すと、回転軸に対して直交する方向に前アーム部３２ａと後アーム部３２ｂとがシャフト部３３から突き出た構成となっている。シャフト部３３の上面および下面には、半球形状の突起部３５ａ〜３５ｄ、３６ａ〜３６ｄが設けられている。
【０００８】
通常、ベース１０とヨーク２０との間隔は、ラッチ３１が動くことができる程度の大きさに設定されている。このため、ディスク装置（例えばＨＤＤ）を表向きに置いたとき、すなわちベース１０がＨＤＤの載置面側に位置するときには、図１７に示すように、ラッチ３１の突起部３６ａ〜３６ｄがベース１０上に接触した状態となる。一方、ＨＤＤを裏向きに置いたとき、すなわちヨーク２０がＨＤＤの載置面側に位置するときには、図１８に示すように、ラッチ３１の突起部３５ａ〜３５ｄがヨーク２０上に接触した状態となる。突起部３５ａ〜３５ｄ、３６ａ〜３６ｄは、例えば特許文献１に記載のように、ベース１０やヨーク２０と点接触させるためにこのような形状となっており、これにより、ラッチ３１と、ベース１０およびヨーク２０との摺動摩擦を軽減することができる。
【先行技術文献】
【特許文献】
【０００９】
【特許文献１】特開２００３−１５１２２５号公報
【発明の概要】
【発明が解決しようとする課題】
【００１０】
しかし、ラッチ３１がベース１０とヨーク２０との間で可動できるため、ＨＤＤに振動や衝撃が加えられた場合、ラッチ３１が動き、ベース１０またはヨーク２０に衝撃を与えてしまうという問題があった。ラッチ３１とヨーク２０との衝撃では、振動は直接ベース１０に伝達されないため、この衝撃によるＨＤＤの性能への影響は大きくないと考える。しかし、ラッチ３１とベース１０との衝撃により発生する振動は、ベース１０と接続されている他の部品に伝達されてしまい、ＨＤＤの性能に影響を与えてしまうことが懸念される。
【００１１】
そこで、本発明は、上記問題に鑑みてなされたものであり、本発明の目的とするところは、ラッチ機構により発生する振動や衝撃を抑制することが可能な、新規かつ改良されたアクチュエータ固定機構およびディスク装置を提供することにある。
【課題を解決するための手段】
【００１２】
上記課題を解決するために、本発明のある観点によれば、ディスク状の記録媒体に対して記録媒体にデータを記録再生するヘッドを回転移動させるアクチュエータを、非動作時に退避位置で固定するアクチュエータ固定機構が提供される。アクチュエータ固定機構は、アクチュエータの被係合部と係合部を係合させてアクチュエータを退避位置に固定する第１の位置と、退避位置におけるアクチュエータの固定を解除したときに位置する第２の位置との間を、シャフト部を回転中心として回動自在に設けられるアーム部と、アクチュエータの作動状態に応じて、アーム部の回動を規制する規制部材と、シャフト部の、少なくともアクチュエータ固定機構が設けられるベースと対向する側に、ベースと接触可能に設けられた、弾性を有するダンピング部材と、を備えることを特徴とする。
【００１３】
シャフト部は、少なくともベースと対向する一端面に、１または複数の突起部を備え、ダンピング部材は、シャフト部の一端面に設けられた突起部よりもベース側に突出して設けてもよい。
【００１４】
ダンピング部材は、シャフト部の回転中心軸方向に対して傾斜を有して設けてもよい。
【００１５】
ダンピング部材は、シャフト部のベースと対向する一端面からベースに向かって突出する板状の薄肉部材としてもよい。
【００１６】
規制部材は、シャフト部に対してアーム部の一側に設けられる金属部材と、アーム部が第１の位置に位置するときに金属部材と対向する位置に設けられたマグネットとからなり、ダンピング部材は、アーム部の一端に設けられた金属部材と、アーム部の回転中心となるシャフト部に対して対角の位置に設けてもよい。
【００１７】
規制部材は、第１の位置でアクチュエータの被係合部と係合するアーム部を固定し、ヘッドによる記録媒体のデータの記録再生時にアーム部の固定を解除するようにしてもよい。
【００１８】
シャフト部は、ダンピング部材の外周部を覆うガード部材をさらに備えてもよい。
【００１９】
アーム部は、ダンピング部材およびガード部に対応する領域が開口する開口部を備えてもよい。
【００２０】
また、ダンピング部材は、シャフト部のベースと対向する一端面に、シャフト部の周方向に所定の間隔で複数配置するようにしてもよい。
【００２１】
さらに、ダンピング部材は、ベースと接触する接触部と、シャフト部のベースと対向する一端面と接触部とを接続し、アーム部の回転軸方向に開口するスリットが形成された脚部と、からなるように構成してもよい。
【００２２】
また、上記課題を解決するために、本発明の別の観点によれば、データを記憶するディスク状の記録媒体と、記録媒体を回転させる回転駆動部と、回転駆動部を支持するベースと、記録媒体にデータを記録再生するヘッドを回転移動させるアクチュエータと、アクチュエータを固定するアクチュエータ固定機構と、を備え、アクチュエータ固定機構は、アクチュエータの被係合部と係合部を係合させてアクチュエータを退避位置に固定する第１の位置と、退避位置におけるアクチュエータの固定を解除したときに位置する第２の位置との間を、シャフト部を回転中心として回動自在に設けられるアーム部と、アクチュエータの作動状態に応じて、アーム部の回動を規制する規制部材と、シャフト部の、少なくともアクチュエータ固定機構が設けられるベースと対向する側に、ベースと接触可能に設けられた、弾性を有するダンピング部材と、を備えることを特徴とする、ディスク装置が提供される。
【発明の効果】
【００２３】
以上説明したように本発明によれば、ラッチ機構により発生する振動や衝撃を抑制することが可能なアクチュエータ固定機構およびディスク装置を提供することができる。
【図面の簡単な説明】
【００２４】
【図１】本発明の第１の実施形態に係るＨＤＤの概略構成を示す平面図である。
【図２】同実施形態に係るラッチを示す平面図である。
【図３】同実施形態に係るラッチを示す底面図である。
【図４】同実施形態に係るダンピング部材の構成を示す部分斜視図である。
【図５】図５は、図４のＩ−Ｉ切断線における断面図である。
【図６】同実施形態に係るラッチを示す概略図である。
【図７】ラッチが上下に振動したときの動きの一例を示す説明図である。
【図８】本発明の第２の実施形態に係るラッチの構成を示す斜視図である。
【図９】複数のダンピング部材を備えるラッチの一構成例を示す部分斜視図である。
【図１０】複数のダンピング部材を備えるラッチの他の構成例を示す部分斜視図である。
【図１１】スリット構造のダンピング部材を備えるラッチの一構成例を示す部分側面図である。
【図１２】スリット構造のダンピング部材を備えるラッチの他の構成例を示す部分側面図である。
【図１３】ディスク装置におけるラッチ機構、ベース、ヨークおよびＶＣＭコイルの配置構成を示す部分斜視図である。
【図１４】従来のラッチを示す平面図である。
【図１５】従来のラッチを示す底面図である。
【図１６】従来のラッチを示す概略図である。
【図１７】ＨＤＤを表向きに置いたときの、ラッチと、ベースおよびヨークとの位置関係を示す説明図である。
【図１８】ＨＤＤを裏向きに置いたときの、ラッチと、ベースおよびヨークとの位置関係を示す説明図である。
【発明を実施するための形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
＜１．第１の実施形態＞
まず、図１〜図７に基づいて、本発明の第１の実施形態に係るＨＤＤの概略構成について説明する。なお、図１は、本実施形態に係るＨＤＤ１００の概略構成を示す平面図である。図２は、本実施形態に係るラッチ１４１を示す平面図である。図３は、本実施形態に係るラッチ１４１を示す底面図である。図４は、本実施形態に係るダンピング部材１４６の構成を示す部分斜視図である。図５は、図４のＩ−Ｉ切断線における断面図である。図６は、本実施形態に係るラッチ１４１を示す概略図である。図７は、ラッチ１４１が上下に振動したときの動きの一例を示す説明図である。なお、図６および図７では、説明内容に伴う図面簡略化のため、ガード部１４５は図示していない。
【００２７】
本実施形態にかかるディスク装置は、例えばＨＤＤ１００であって、図１に示すように、データ記録媒体であるディスク１０５と、ベース１１０と、ディスク１０５を保持して回転させるスピンドルモータ１２０と、ディスク１０５にデータを記録および／または再生するヘッド１３５を回転移動させるアクチュエータ１３０と、ラッチ機構１４０とを備える。
【００２８】
ベース１１０は、スピンドルモータ１２０を支持する他に、例えば、後述するアクチュエータ１３０や、アクチュエータ１３０の稼動範囲を制限してヘッド１３５と他部材との接触を防止する衝撃緩衝機構であるストッパなど複数の機構部品が組み付けられる。また、ＨＤＤ１００が動作していないときにアクチュエータ１３０の動きを規制するラッチ機構１４０のラッチ１４１がベース１１０に対して回動可能に設けられる。ラッチ１４１は、ベース１１０から垂直に突出して設けられたベースピン（図７の符号１１２）に装着され、ベースピンを回転中心として回動する。
【００２９】
スピンドルモータ１２０は、ディスク１０５を回転させる回転駆動部である。スピンドルモータ１２０は、スピンドルモータ１２０の回転中心である回転軸と、回転軸の周囲に設けられた軸受と、軸受を介してディスク１０５を保持するハブと、ハブの外周部に設けられたマグネットロータと、複数のステータコイル列からなるステータ部と、から構成される。スピンドルモータ１２０は、ステータコイルに電流が流れることにより発生する磁場とマグネットロータとの引き合い動作を繰り返すことによって回転する。
【００３０】
アクチュエータ１３０には、ディスク１０５にデータを記録および／または再生するヘッド１３５が設けられ、回転軸（ピボット）１３３を介して回転自在な状態でベース１１０に取り付けられる。かかるアクチュエータ１３０は、例えば、１つのディスク１０５に対して一対のＨＧＡ（Ｈｅａｄ  Ｇｉｍｂａｌ  Ａｓｓｅｍｂｌｙ）１３７を備えている。一対のＨＧＡ１３７は、所定の隙間を有して積層されており、この隙間にディスク１０５を挟むように配設されている。ディスク１０５にデータを記録および／または再生する場合、かかるアクチュエータ１３０を回転させて、ヘッド１３５をディスク１０５の所定の位置に移動させる。なお、アクチュエータ１３０は、ボイスコイルモータ（ＶＣＭ；Ｖｏｉｃｅ  Ｃｏｉｌ  Ｍｏｔｏｒ）で回転駆動する。
【００３１】
ラッチ機構１４０は、ＨＤＤ１００が動作していないときにアクチュエータ１３０を固定するためのアクチュエータ固定機構である。ラッチ機構１４０は、アクチュエータ１３０の動きを規制するラッチ１４１と、当該ラッチ１４１の動きを規制する規制部材であるマグネット（図示せず。）とからなる。
【００３２】
ラッチ１４１は、図２および図３に示すように、ベース１１０から垂直に突出するベースピン（図７の符号１１２）に挿入され、回転中心部となるシャフト部１４３に、前アーム部１４２ａと後アーム部１４２ｂとからなるアーム部を備える構成となっている。前アーム部１４２ａは、ＨＤＤ１００が動作していないときにヘッド１３５がディスク上に移動させる方向に回動しようとするアクチュエータ１３０の動きを妨げるために、アクチュエータ１３０に設けられた被係合部（図示せず。）と係合してアクチュエータ１３０の動きを規制する係合部１４２ｃを下面側に有する。後アーム部１４２ｂは、ラッチ１４１の回転を規制する規制部材として金属ピン１４９が設けられている。ラッチ１４１は、後アーム部１４２ｂに設けられた金属ピン１４９とベース１１０に設けられているマグネットとの間に働く吸引力を利用して、ベース１１０のベースピンに挿通されたシャフト部１４３を回転中心部として回動し、ＨＤＤ１００が動作していないときにヘッド１３５がディスク上に移動させる方向に回動しようとするアクチュエータ１３０をつかみにいくことができる。
【００３３】
ラッチ１４１のシャフト部１４３の下面および上面には、ベース１１０またはヨーク（図７の符号１５０）との接触面を低減し、摺動性を高めるため、１または複数の突起部が設けられている。したがって、各面に設けられる突起部の数はなるべく少ない方がよいが、ベース１１０またはヨーク１５０に対するラッチ１４１の載置状態を安定させるため、例えば図２に示すように、３つの突起部（１４８ａ〜１４８ｃ）を設けるのがよい。なお、本実施形態に係るラッチ１４１は、後述するように、ダンピング部材１４６を備える。本実施形態のシャフト部１４３の下面側は、図３に示すように、２つの突起部１４７ａ、１４７ｂと、ダンピング部材１４６の突起部１４６ａとによってベース１１０に支持されている。また、本実施形態に係る突起部１４７ａ、１４７ｂ、１４８ａ〜１４８ｃは、接触面との接触面積を低減するため、略半球形状に形成されている。
【００３４】
本実施形態に係るラッチ機構１４０は、ラッチ機構１４０により発生する、ＨＤＤ１００の性能に影響を与える振動および衝撃を抑制するため、シャフト部１４３にダンピング部材１４６を備える。ダンピング部材１４６の構成を図４および図５に示す。図４および図５に示すように、ダンピング部材１４６は、シャフト部１４３の前アーム部１４２ａ側の側部１４３ｂから、回転軸に対して傾斜を有するように設けられた部材である。本実施形態のダンピング部材１４６は、シャフト部１４３から離隔する方向に傾斜しており、その先端には、略半球形状の突起部１４６ａが形成されている。
【００３５】
突起部１４６ａは、上述したように、シャフト部１４３の下面に設けられた突起部１４７ａ、１４７ｂと同様、ＨＤＤ１００が表向きに設置されたときベース１１０と接触する。この３箇所においてラッチ１４１はベース１１０に支持される。ダンピング部材１４６の突起部１４６ａは、図５に示すように、同一面に設けられた他の突起部１４７ａ、１４７ｂよりも突出させてもよい。これにより、ラッチ１４１が振動や衝撃によって上下に動いたときに、ダンピング部材１４６の突起部１４６ａが他の突起部１４７ａ、１４７ｂよりも先にベース１１０に接触するため、衝撃を緩和することができる。
【００３６】
したがって、ダンピング部材１４６の突起部１４６ａは、ＨＤＤ１００のベース１１０のベースピン１１２に挿入され、ＨＤＤ１００が表向きに置かれた状態では、他の突起部１４７ａ、１４７ｂよりもベース１１０側に突き出た状態となる。しかし、本発明はかかる例に限定されず、例えば、ダンピング部材１４６の突起部１４６ａと他の突起部１４７ａ、１４７ｂとを同一高さに形成してもよい。この場合、ラッチ機構１４０は、シャフト部１４３の貫通孔１４３ａが挿入されたベースピン１１２を回転中心として、ベース１１０に３点接触した状態で回動する。
【００３７】
さらに、本実施形態に係るラッチ１４１は、ダンピング部材１４６を保護するガード部１４５を備えている。ガード部１４５は、例えば図４に示すように、シャフト部１４３の下面側の一部が後アーム部１４２ｂ側から前アーム部１４２ａ側へ向かって延び、ダンピング部材１４６を囲うようにシャフト部１４３の外周面に沿って設けられる。このとき、ガード部材１４５は、ダンピング部材１４６の外面（シャフト部１４３と反対側の面）を少なくとも覆っていればよく、図４に示すように、ガード部材１４５とシャフト部１４３との間に隙間があってもよい。ダンピング部材１４６は、製造元での取り扱いや、搬送時の梱包状態によるラッチ１４１同士の接触、ＨＤＤ組み立て工程や前段階での取り扱い等、様々な破損原因によって、破損する恐れがある。そこで、ガード部材１４５を設けて、ダンピング部材１４６が上記の破損原因によって破損するのを防止している。
【００３８】
本実施形態に係るラッチ１４１は、例えば射出形成により一体に形成される。この際、成型時に上下方向（ｚ方向）に型抜きを行うことができるように、前アーム部１４２ａのガード部１４５およびダンピング部材１４６に対応する位置に開口部１４４が形成される。これにより、ガード部１４５およびダンピング部材１４６を形成する型を、開口部１４４から引き抜くことが可能となり、本実施形態に係るラッチ１４１を容易に形成することができる。
【００３９】
このように、本実施形態に係るラッチ機構１４０は、ラッチ１４１にダンピング部材１４６を備える点を特徴とする。図６および図７に基づき、かかるラッチ機構１４０の構成と作用についてより詳細に説明すると、ラッチ１４１には、図６に示すように、ラッチ１４１の回転中心となるシャフト部１４３から回転軸に対して直交するように、前アーム部１４２ａおよび後アーム部１４２ｂからなるアーム部が設けられている。そして、シャフト部１４３の下面側に、シャフト部１４３から回転軸と反対側に向かって傾斜を有するようにダンピング部材１４６が設けられている。ダンピング部材１４６は、シャフト部１４３に対して金属ピン１４９と略対称となる位置に設けられる。これにより、ダンピング部材１４６を１つ設けるだけで効果的に振動や衝撃を緩和することが可能となる。
【００４０】
ダンピング部材１４６の突起部１４６ａは、上述したように、シャフト部１４３の同一面に設けられた他の突起部１４７ａ、１４７ｂと同一の高さ、または他の突起部１４７ａ、１４７ｂよりもベース１１０側に突出するように設けられている。いずれの場合にも、ラッチ１４１がベース１１０上に載置され、突起部１４７ａ、１４７ｂ、１４６ａがベース１１０に接触している状態、すなわちラッチ１４１が静止している状態では、図７左図に示すように、これらの突起部１４７ａ、１４７ｂ、１４６ａは同一高さとなるようにしてもよい。突起部１４７ａ、１４７ｂ、１４６ａが同一高さの場合には、ダンピング部材１４６がラッチ１４１の回動に影響を与えることはない。
【００４１】
このようなダンピング部材１４６を備えることにより、図７右図に示すように、振動や衝撃によってラッチ１４１が上下に動いてベース１１０に衝突したとき、ダンピング部材１４６が他の突起部１４７ａ、１４７ｂよりも先にベース１１０に接触する。ベース１１０に接触したダンピング部材１４６は、自身の有する弾性によってたわみ、衝撃を緩和する。したがって、ラッチ１４１の振動がそのままベース１１０に伝達して他の部品に与える影響が大きくなるのを防止することができる。
【００４２】
以上、ダンピング部材１４６を備えたラッチ機構１４０の構成および作用について説明した。ラッチ機構１４０のラッチ１４１にダンピング部材１４６を設けることにより、ラッチ機構１４０からベース１１０へ伝達される振動や衝撃を緩和することができるので、ＨＤＤ１００の性能に影響を与えるベース１１０の振動や衝撃を低減することができる。
【００４３】
このような構成要素から構成されるＨＤＤ１００は、ディスク１０５をスピンドルモータ１２０により、例えば反時計回りに回転し、データの記録・再生を行う際には、アクチュエータ１３０が駆動されてディスク１０５の所定の位置にヘッド１３５が位置するように移動される。一方、データの記録・再生を行わないとき、すなわちＨＤＤ１００を停止させるときは、アクチュエータ１３０を駆動させて、ヘッド１３５をディスク１０５上から退避位置へ退避させる。ヘッド１３５がディスク１０５上から退避された状態では、ヘッド１３５がディスク１０５上へ移動しないように、ラッチ機構１４０によりアクチュエータ１３０の動きが規制される。
【００４４】
以上、本実施形態にかかるＨＤＤ１００の構成について説明した。本実施形態に係るＨＤＤ１００は、ラッチ機構１４０のラッチ１４１にダンピング部材１４６を設けることにより、ＨＤＤ１００の性能に影響する振動や衝撃がラッチ機構１４０からベース１００に直接伝達されるのを防止できる。また、ダンピング部材１４６をシャフト部１４３に対して金属ピン１４９と略対称に設けることにより、ラッチ１４１にダンピング部材１４６を１つ設けるだけでも効果的に振動や衝撃を緩和することができる。さらに、前アーム部１４２ａに開口部１４４を設けることで、ダンピング部材１４６を容易に形成することもできる。
【００４５】
＜２．第２の実施形態＞
ＨＤＤ１００のラッチ機構のラッチに設けられるダンピング部材は、図２〜図７に示したようなシャフト部１４３に対して傾斜を有して設けた構成のみならず、他の構成によっても実現することができる。
【００４６】
例えば、上述のラッチ機構１４０の代わりに、図８に示す構成のラッチ機構２４０をＨＤＤ１００に設けてもよい。図８は、本発明の第２の実施形態に係るラッチ機構２４０のラッチ２４１の構成を示す斜視図である。ラッチ機構２４０は、基本的に第１の実施形態に係るラッチ機構１４０と同様の構成となっているが、ダンピング部材２４６の構成が異なる。すなわち、ラッチ機構２４０のラッチ２４１は、シャフト部２４３から回転軸に対して垂直方向に延びる前アーム部２４２ａおよび後アーム部２４２ｂを備え、シャフト部２４３の下面側には２つの突起部２４７ａ、２４７ｂが設けられている。また、シャフト部２４３の下面側には、ダンピング部材２４６が設けられ、ダンピング部材２４６を囲むようにガード部２４５が設けられている。前アーム部２４２ａには、ガード部２４５に対応する領域に開口部２４４が設けられている。
【００４７】
本実施形態に係るダンピング部材２４６は、シャフト部２４３の下面からベース１１０との対向面側（ｚ軸負方向側）に、回転軸に向かって斜めに突出する板状の薄肉部材からなる。ダンピング部材２４６は、第１の実施形態と同様、突起部２４７ａ、２４７ｂと同一高さまたは突起部２４７ａ、２４７ｂよりもベース１１０側に突出するように設けられる。なお、いずれの場合にも、ラッチ２４１がベース１１０上に載置され、突起部２４７ａ、２４７ｂ、２４６がベース１１０に接触している状態、すなわちラッチ２４１が静止している状態では、これらの突起部２４７ａ、２４７ｂ、２４６は同一高さとなるようにしてもよい。突起部２４７ａ、２４７ｂ、２４６が同一高さの場合には、ダンピング部材２４６がラッチ２４１の回動に影響を与えることはない。
【００４８】
ダンピング部材２４６も、第１の実施形態に係るダンピング部材１４６と同様、ラッチ２４１が振動や衝撃により上下方向（ｚ方向）に動くと、シャフト部２４３の下面に設けられた他の突起部２４７ａ、２４７ｂより先にベース１１０に接触する。そして、ダンピング部材２４６はたわみ、振動や衝撃を吸収する。
【００４９】
本実施形態のダンピング部材２４６は、第１の実施形態にかかるダンピング部材１４６と同様、上下方向（ｚ方向）への離型が可能である射出形成によって形成することができる。これにより、低コストでラッチ機構２４０を作成することができる。
【００５０】
＜３．第３の実施形態＞
上記実施形態では、１つのダンピング部材を備えるラッチ機構の構成について説明したが、本発明はかかる例に限定されず、複数のダンピング部材をラッチ機構に設けてもよい。以下、図９および図１０に基づいて、複数のダンピング部材を備えるラッチ機構のラッチの構成例を説明する。なお、図９は、複数のダンピング部材を備えるラッチの一構成例を示す部分斜視図である。図１０は、複数のダンピング部材を備えるラッチの他の構成例を示す部分斜視図である。
【００５１】
複数のダンピング部材を備えるラッチの一例として、例えば図９に示すように、シャフト部３４３の下面側に設けられたベース１１０との複数の接触部を、ダンピング部材とすることが考えられる。図９に示すダンピング部材３４６１〜３４６３は、シャフト部３４３の下面の外周に沿って等間隔で配置されている。ダンピング部材３４６１、３４６２は、それぞれ２つの接触部３４６ａ、３４６ｂを備える。各接触部３４６ａ、３４６ｂは、長手方向がシャフト部３４３の外周に沿うように配置された、略円柱形状の部材であり、各接触部３４６ａ、３４６ｂはベース１１０に線接触する。また、ダンピング部材３４６３は、接触部３４６ａと略半球形状の突起部３４７とからなる。略半球形状の突起部３４７は、上記実施形態の突起部３４６ａ等と同様に構成することができる。
【００５２】
ダンピング部材３４６１、３４６２の接触部３４６ａと接触部３４６ｂとの間、およびダンピング部材３４６３の接触部３４６ａと突起部３４７との間には、隣接方向（シャフト部３４３の周方向）に所定の隙間が設けられている。ラッチのダンピング部材３４６１〜３４６３は、振動や衝撃によりラッチが上下方向（ｚ方向）に移動すると、ベース１１０に押し付けられたダンピング部材３４６１〜３４６３の接触部３４６ａ、３４６ｂ、または突起部３４７は、隙間に向かってシャフト部３４３の周方向に移動する。これにより、ラッチの上下方向への移動による振動や衝撃がダンピング部材３４６１〜３４６３により吸収され、ベース１１０へ伝達されるのを低減することができる。
【００５３】
また、複数のダンピング部材を備えるラッチの他の一例として、例えば図１０に示すように、シャフト部４４３の下面側に設けられたベース１１０との環状の下面を切り欠き、弾性を持たせるようにしてもよい。図１０のシャフト部４４３の下面は、シャフト部４４３の軸部分よりも径が大きくなっており、切り欠きを設けることにより形成されるダンピング部材４４６ａ〜４４６ｃが径方向にたわみやすくなるように形成されている。また、シャフト部４４３の下面は、径方向においてベース１１０側に突出する曲線が環状に連続してなるドーナツ形状となっており、ベース１１０と線接触する。これにより、ラッチ機構とベース１１０との接触部分を低減することができる。
【００５４】
図１０のラッチには、上述したように、３つのダンピング部材４４６ａ〜４４６ｃがシャフト部４４３の周方向に沿って略等間隔に設けられている。ダンピング部材４４６ａ〜４４６ｃは、振動や衝撃によりラッチが上下方向（ｚ方向）に移動すると、ベース１１０に押し付けられたダンピング部材４４６ａ〜４４６ｃは、回転軸から離隔する方向に向かってシャフト部４４３の径方向に移動する。これにより、ラッチの上下方向への移動による振動や衝撃がダンピング部材４４６ａ〜４４６ｃにより吸収され、ベース１１０へ伝達されるのを低減することができる。
【００５５】
図９および図１０に示したように、ラッチ機構のラッチに複数のダンピング部材を設けることで、振動や衝撃をより確実に緩和することができる。
【００５６】
＜４．第４の実施形態＞
本実施形態に係るラッチ機構のラッチのダンピング部材は、ラッチのシャフト部と、ベースと接触する突起部との間にスリットを設けることにより構成することもできる。以下、図１１および図１２に基づいて、スリット構造のダンピング部材を備えるラッチの構成例を説明する。なお、図１１は、スリット構造のダンピング部材を備えるラッチの一構成例を示す部分側面図である。図１２は、スリット構造のダンピング部材を備えるラッチの他の構成例を示す部分側面図である。
【００５７】
スリット構造のダンピング部材を備えるラッチの一例として、例えば図１１に示すように、ダンピング部材を、シャフト部５４３の下面側に設けられたベース１１０と接触する複数の突起部５４７ａ〜４５７ｃと、突起部５４７ａ〜４５７ｃが設けられた脚部５４６ａ〜５４６ｃとから構成することもできる。脚部５４６ａ〜５４６ｃには、それぞれスリット５４５ａ〜５４５ｃが形成される。スリット５４５ａ〜５４５ｃは、シャフト部５４３の外周部から回転軸に向かって、回転軸方向に隙間を有するように設けられる。これにより、ラッチが上下方向（ｚ方向）に動いて傾いた際、シャフト部５４３に対して脚部５４６ａ〜５４６ｃの少なくともいずれか１つがたわみ、振動や衝撃を緩和することができる。
【００５８】
また、スリット構造のダンピング部材を備えるラッチの他の一例として、例えば図１２に示すように、ダンピング部材を、シャフト部６４３の下面側に設けられたベース１１０と接触する複数の突起部６４７ａ〜６５７ｃと、突起部６４７ａ〜６５７ｃが設けられた脚部６４６と、とから構成することもできる。脚部６４６には、１つのスリット６４５を設けるようにしてもよい。スリット６４５は、例えば、前アーム部から後アーム部（図１２ではいずれも図示せず。ここでは、シャフト部６４３に対する前アーム部および後アーム部は、第１の実施形態における図２のシャフト部１４３に対する前アーム部１４２ａおよび後アーム部１４２ｂの配置関係と同一であるとする。）に向かって、回転軸方向に隙間を有するように設けることができる。これにより、ダンピング部材を第１の実施形態に係るダンピング部材１４６と同様に機能させることができる。
【００５９】
第４の実施形態に係るダンピング部材のようにスリットを設ける場合には、ラッチの成型時に横方向（回転軸に対して直交する方向）への型抜が必要となるが、上述の実施形態に係るダンピング部材と同様に機能させることができる。したがって、ラッチの上下方向の動きによりベース１１０に伝達される振動や衝撃を低減することができ、ＨＤＤ１００の性能を保持することができる。
【００６０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６１】
例えば、上記実施形態では、ラッチ機構を構成するラッチのシャフト部の端面のうち、ベースとの対向する面にのみダンピング部材を設ける構成について説明したが、本発明はかかる例に限定されない。例えば、シャフト部のヨークと対向する面に、上述したダンピング部材を設けてもよい。これにより、ラッチからヨークに伝達される衝撃力も低減することができ、ＨＤＤの性能をより安定させることができる。
【００６２】
また、上記実施形態では、ラッチは射出形成することで一体に形成されていたが、本発明はかかる例に限定されず、例えば、シャフト部に別途の部材からなるダンピング部材を設けることにより、ラッチを構成してもよい。
【００６３】
さらに、上記実施形態では、ラッチのシャフト部の上面および下面に設けられた突起部は、略半球形状に形成されたが、本発明はかかる例に限定されない。例えば、突起部は、Ｒ形状であってもよく、特にベースやヨーク等の接触面との接触面積を低減できる形状にすることが望ましい。
【００６４】
さらに、上記実施形態では、ラッチ１４１の後アーム部１４２には、マグネットと作用してラッチ１４１を回動させる金属ピン１４９が設けられていたが、本発明はかかる例に限定されない。例えば、金属ピン１４９の代わりに、金属ボールや金属片等、マグネットの磁性力によってマグネットに引き寄せられる金属部材を設けてもよい。
【符号の説明】
【００６５】
１００    ＨＤＤ
１０５    ディスク
１１０    ベース
１１２    ベースピン
１２０    スピンドルモータ
１３０    アクチュエータ
１４０    ラッチ機構
１４１    ラッチ
１４２ａ  前アーム部
１４２ｂ  後アーム部
１４３    シャフト部
１４４    開口部
１４５    ガード部
１４６    ダンピング部材
１４６ａ、１４７ａ、１４７ｂ、１４８ａ、１４８ｂ、１４８ｃ    突起部
【図１】
2012104192.tif 000003
【図２】
2012104192.tif 000004
【図３】
2012104192.tif 000005
【図４】
2012104192.tif 000006
【図５】
2012104192.tif 000007
【図６】
2012104192.tif 000008
【図７】
2012104192.tif 000009
【図８】
2012104192.tif 000010
【図９】
2012104192.tif 000011
【図１０】
2012104192.tif 000012
【図１１】
2012104192.tif 000013
【図１２】
2012104192.tif 000014
【図１３】
2012104192.tif 000015
【図１４】
2012104192.tif 000016
【図１５】
2012104192.tif 000017
【図１６】
2012104192.tif 000018
【図１７】
2012104192.tif 000019
【図１８】
2012104192.tif 000020